(57)【特許請求の範囲】
【請求項１】
かごガイドレールに沿って動くかごと、カウンターウエイトガイドレールに沿って動くカウンターウエイトと、かごおよびカウンターウエイトが懸架された１組の巻上ロープと、かごとエレベーターシャフトの壁との間でカウンターウエイトガイドレールの上端に巻上ロープと係合するトラクションシーブを含む駆動機械装置を備えたトラクションシーブエレベーターにおいて、前記カウンターウエイトガイドレールの上端とエレベーターシャフトの上部の梁とを継ぎ柱により垂直方向に繋ぐようにした機械土台枠を設け、この機械土台枠に前記駆動機械装置の垂直荷重を支持する機械土台と、前記継ぎ柱を連結し前記駆動機械装置の上端部を介して前記駆動機械装置の軸方向の水平荷重を支持する補強部材を設け、前記駆動機械装置を防振構造にて前記機械土台により支持したことを特徴とするトラクションシーブエレベーター。
【請求項２】
かごガイドレールに沿って動くかごと、カウンターウエイトガイドレールに沿って動くカウンターウエイトと、かごおよびカウンターウエイトが懸架された１組の巻上ロープと、かごとエレベーターシャフトの壁との間でカウンターウエイトガイドレールの上端に巻上ロープと係合するトラクションシーブを含む駆動機械装置を備えたトラクションシーブエレベーターにおいて、前記カウンターウエイトガイドレールをエレベーターシャフトの上部の梁まで延長して設け、この延長部分に前記駆動機械装置の垂直荷重を支持する機械土台と水平方向荷重を支持する補強部材を設け、前記駆動機械装置を防振構造にて前記機械土台により支持したことを特徴とするトラクションシーブエレベーター。
【請求項３】
かごガイドレールに沿って動くかごと、カウンターウエイトガイドレールに沿って動くカウンターウエイトと、かごおよびカウンターウエイトが懸架された１組の巻上ロープと、かごとエレベーターシャフトの壁との間でカウンターウエイトガイドレールの上端に巻上ロープと係合するトラクションシーブを含む駆動機械装置を備えたトラクションシーブエレベーターにおいて、前記カウンターウエイトガイドレールとエレベーターシャフトの上部の梁とを継ぎ柱により垂直方向に繋ぐようにした機械土台枠を設け、この機械土台枠に前記駆動機械装置の垂直荷重を支持する機械土台と、前記継ぎ柱を連結し前記駆動機械装置の上端部を介して前記駆動機械装置の軸方向の水平方向荷重を支持する補強部材を設け、前記駆動機械装置を垂直防振構造にて前記機械土台により支持したことを特徴とするトラクションシーブエレベーター。
【請求項４】
かごガイドレールに沿って動くかごと、カウンターウエイトガイドレールに沿って動くカウンターウエイトと、かごおよびカウンターウエイトが懸架された１組の巻上ロープと、かごとエレベーターシャフトの壁との間でカウンターウエイトガイドレールの上端に巻上ロープと係合するトラクションシーブを含む駆動機械装置を備えたトラクションシーブエレベーターにおいて、前記カウンターウエイトガイドレールをエレベーターシャフトの上部の梁まで延長して設け、この延長部分に前記駆動機械装置の垂直荷重を支持する機械土台と水平方向荷重を支持する補強部材を設け、前記駆動機械装置を垂直防振構造にて前記機械土台により支持したことを特徴とするトラクションシーブエレベーター。
【発明の詳細な説明】
【０００１】
【発明の属する技術分野】
本発明はトラクションシーブエレベーターに係り、特に、エレベーターガイドレールに沿って動くかごとカウンターウエイトガイドレールに沿って動くカウンターウエイトと、かごおよびカウンターウエイトが懸架された１組の巻上げロープと駆動機械により駆動される巻き上げロープに係合するトラクションシーブを含む駆動機械装置の全体配置構成に関する。
【０００２】
【従来の技術】
従来のトラクションシーブ駆動のエレベーターでは、エレベーターシャフトの最上部に機械室を設け、この中に駆動機械装置を配置したレイアウトが基本であった。しかし、この基本形は建屋全体の空間の利用と外観に関して建屋の設計をかなり制約していた。そこで、近年、建屋設計の自由度を増し併せて建屋空間の効率的かつ経済的に利用する解決策として、巻上機モータを含む巻上機装置をエレベーターシャフト内に設置するトラクションエレベーターが提唱され実用化されつつある。本提案の一例の特開平8−208152 号公報によれば、かごとエレベーターシャフトの壁との間で、カウンターウエイトガイドレールの上方端に機械土台を設け、この上に駆動機械装置を設置し、さらに、前記駆動機械装置は前記エレベーターシャフトに対して、水平の力を吸収するがどんな垂直の支持力も実質的に吸収しない補強要素によって、シャフトの壁または、天井に固定したものが開示されている。
【０００３】
【発明が解決しようとする課題】
建物が鉄筋コンクリート製でエレベーターシャフトが壁または天井も鉄筋で補強されたコンクリート製の場合には、前記補強要素を介して前記駆動機械装置の水平力を十分吸収するため問題ないが、実用上の建物は鉄骨製でエレベーターシャフトの壁または天井は補強部材に入った軽量コンクリート板で仕切る程度のもので作られている場合が多く、前記駆動機械装置の水平力を吸収することが出来ない。すなわち、前記補強要素を直接エレベーターシャフトの壁または天井に取り付けることが出来ない問題があった。
【０００４】
また、前記駆動機械装置を前記機械土台に直接固定し、さらに前記補強要素を介して直接エレベーターシャフトの壁または天井に固定した場合には、前記駆動機械装置の振動が直接建物に伝播するため、エレベーターシャフトに隣接して静寂さが要求される用途の寝室，病室，音楽ホール，会議室などが設けられる場合には、しばしば騒音の苦情が起こる恐れがあった。
【０００５】
【課題を解決するための手段】
本発明は上記課題を解決するために、カウンターウエイトガイドレールの上端部とエレベーターシャフトの上部の梁とを継ぎ柱により垂直方向に繋ぐようにした機械土台枠を設け、この機械土台枠に駆動機械装置の垂直荷重を支持する機械土台と、前記継ぎ柱を連結し前記駆動機械装置の上端部を介して前記駆動機械装置の軸方向の水平荷重を支持する補強部材を設け、前記駆動機械装置を防振構造にて前記機械土台枠により支持したものである。上記構成により前記駆動機械装置の水平力を建屋の各階にある建屋梁にて支えるようにしたものである。
【０００７】
さらに、前記駆動機械装置の固定部分を、防振ゴムなどを介して防振支持固定することにより、前記駆動機械装置の振動伝播低減を図ったものである。
【０００８】
本発明によれば、建物が鉄骨製でエレベーターシャフトの壁または天井に補強材の入っていない軽量コンクリート板で仕切られた場合でも駆動機械装置の揺れを防止することが出来る。また、防振支持構造とすることにより駆動機械装置の振動伝播の低減が図れる。
【０００９】
【発明の実施の形態】
以下、本発明の一実施例を図１，図２により説明する。
【００１０】
かご１とカウンターウエイト２がエレベーターの巻き上げロープ３に懸架されている。かご１はロープ溝を設けた転向プール４（両側にある）を用いて巻き上げロープ３により支持され、カウンターウエイト２は溝付き転向プーリ５によって支持されている。巻き上げロープ３に係合するトラクションシーブ７を有するエレベーターの駆動機械装置６は、エレベーターシャフトの最上部に配置されている。
【００１１】
かご１とカウンターウエイト２はそれぞれを案内するかごガイドレール８ａ，８ｂおよびカウンターウエイトガイドレール９ａ，９ｂに沿ってエレベーターシャフト内を走行する。かご１とカウンターウエイト２をガイドレールに案内支持するかごガイドとカウンターウエイトガイドは図示しない。また、ガイドレールはエレベーターシャフトの壁または建屋梁によりガイドレール支えに支持されるが、これも図示しない。
【００１２】
巻き上げロープ３は次にように走っている。巻き上げロープ３の一方の端部はシャフトの最上部内のカウンターウエイト２の通路より上方の固定手段１２に固定されている。固定手段１２からのロープ３はカウンターウエイト２に回転可能に取り付けられている転向プーリ５に会うまで下降する。転向プーリ５を巻回するとロープ３は再び駆動機構装置６のトラクションシーブ７へ上昇し、ロープ溝にそって巻回する。トラクションシーブ７からロープ３はかご１へ下降し、かご１を支持している転向プーリ４を経由し、ガイドレール８ａの最上部の固定手段１３まで上昇する。ここでロープ３の他方の端部が固定される。
【００１３】
カウンターウエイトガイドレール９ａおよび９ｂの上端部には機械土台枠１０が積載固定されている。この機械土台枠１０は機械土台１０ａ，縦ぎ柱１０ｂ，１０ｃおよび補強部材１０ｄから形成されている。この機械土台１０ａには駆動機械装置６とロープ３の一方端の固定手段１２を取付け固定し、それぞれの垂直荷重を堅持している。また、継ぎ柱１０ｂ，１０ｃの上端部はエレベーターシャフトの最上部位置にある建屋梁１４に固定する。また、左右の縦て柱１０ｂ，  １０ｃを連結する補強部材１０ｄと支え金具１１を介して駆動機械装置６の水平方向荷重を支えている。なお、支え金具１１は駆動機械装置６の上端部に設けるのが最適である。
【００１４】
図１，図２の実施例では、カウンターガイドレール９ａと９ｂの間隔が狭く駆動機械装置６がカウンターガイドレールに納まらない場合を示したが、駆動機械装置６がカウンターガイドレール９ａと９ｂの間に納まるように配置した例を図３により説明する。図３において、カウンターウエイトレール９ａと９ｂはエレベーターシャフトの最上部位置にある建屋梁１４のところまで延長し固定する。機械土台１０ａはカウンターウエイトレール９ａと９ｂに固定する。機械土台  １０ａを固定する手段として、垂直荷重を堅持するためには、ストッパー付きガイドレールで固定するのが好適である。補強部材１０ｄはカウンターウエイトレール９ａと９ｂに固定し、支え金具１１を固定する。
【００１５】
図１，図２，図３で説明した実施例は、前記垂直荷重および水平荷重を支持するのに、直接機械土台１０ａおよび補助部材１１に固定した例を示したが、駆動機械装置６の建屋側への振動伝播低減方法を図４により説明する。図４において、１７は両面に取付けボルトを有した防振ゴムである。この防振ゴム１７を介して機械土台１０ａに取付け固定する。１８ａは支え金具１１の両側に配置した板状の防振ゴムで、押さえ板１８ｂを介して、固定ボルト１８ｃで補助部材１１に取付け固定する構造である。図４では、支え金具１１用の防振ゴム１８ａを用いたが、駆動機械装置６の振動は垂直方向が主成分であり、防振ゴム１８ａを用いなくても良い。この場合、支え金具１１には、水平荷重の他に実質的に垂直荷重を受けたため、支え金具１１および補強部材１０ｄの強度を考慮する必要がある。
【００１６】
図２，図４の１５は建物の側壁、１６は天井壁を示す。
【００１７】
【発明の効果】
本発明になるトラクションエレベーターは、駆動機械装置をエレベーターシャフト内に有するものにあっても、エレベーターシャフトの壁を駆動機械装置の水平方向荷重支持躯体として使用しないので、エレベーターシャフトの壁に軽量コンクリートなどが使用でき、鉄骨建物へのエレベーター設置が有利となる。
【００１８】
本発明になるトラクションエレベーターは駆動機械装置を防振固定したことにより建物への振動伝播が低減でき、軽量鉄骨建物へのエレベーターの設置が有利となる。
【図面の簡単な説明】
【図１】一実施例のトラクションシーブエレベーターを示す概略図。
【図２】図１のＸ−Ｘ矢視図。
【図３】他の実施例のトラクションシーブエレベーターを示す概略図。
【図４】図２の他の実施例を示す図１のＸ−Ｘ矢視図。
【符号の説明】
１…かご、２…カウンターウエイト、３…ロープ、４…かご支持転向プーリ、５…カウンターウエイトの転向プーリ、６…駆動機械装置、８ａ，８ｂ…かごガイドレール、９ａ，９ｂ…カウンターウエイトガイドレール、１０，１０ａ，  １０ｂ，１０ｄ…機械土台枠、１１…支え金具、１４…建屋梁、１７…防振ゴム。
【図１】
0003700412.tif 000002
【図２】
0003700412.tif 000003
【図３】
0003700412.tif 000004
【図４】
0003700412.tif 000005